【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
献立と、献立を検索するための検索項目ごとの評価値を対応付けた献立情報を記憶する記憶手段と、
前記検索項目に対応した検索軸と、前記検索項目に関する評価値を指定するための前記検索軸上を移動可能な識別子の初期状態の表示を含む献立検索画面を表示させ、献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させる献立検索手段と、
前記識別子が移動済みの検索軸に関連する部分を、前記識別子の移動前とは異なる表示形態で表示させる表示形態変化手段と、
を具備することを特徴とする献立検索装置。
【請求項２】
前記検索結果から選択された献立、または、前記検索結果として表示した献立を、履歴として前記献立検索画面に表示させる履歴表示手段を更に具備することを特徴とする請求項１に記載の献立検索装置。
【請求項３】
前記表示形態変化手段は、移動済みの前記識別子の色を、移動前とは異なる色で表示させることを特徴とする請求項１または請求項２記載の献立検索装置。
【請求項４】
前記献立検索手段は、前記識別子が移動済みの検索軸の検索項目の、当該識別子の位置に対応する評価値を用いて、当該評価値と評価値が近い順に複数の献立を並べて検索結果として表示させることを特徴とする請求項１から請求項３のいずれかに記載の献立検索装置。
【請求項５】
献立検索装置とユーザの端末とがネットワークを介して接続された献立検索システムであって、
前記献立検索装置が、
献立と、献立を検索するための検索項目ごとの評価値を対応付けた献立情報を記憶する記憶手段と、
前記検索項目に対応した検索軸と、前記検索項目に関する評価値を指定するための前記検索軸上を移動可能な識別子の初期状態の表示を含む献立検索画面を表示させ、前記端末上の献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させる献立検索手段と、
前記識別子が移動済みの検索軸に関連する部分を、前記識別子の移動前とは異なる表示形態で表示させる表示形態変化手段と、
を具備することを特徴とする献立検索システム。
【請求項６】
献立検索装置が、
献立と、献立を検索するための検索項目ごとの評価値を対応付けた献立情報を記憶する記憶手段を備え、
前記検索項目に対応した検索軸と、前記検索項目に関する評価値を指定するための前記検索軸上を移動可能な識別子の初期状態の表示を含む献立検索画面を表示させ、献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させるステップと、
前記識別子が移動済みの検索軸に関連する部分を、前記識別子の移動前とは異なる表示形態で表示させるステップと、
を実行することを特徴とする献立検索装置方法。
【請求項７】
情報処理装置を、
献立と、献立を検索するための検索項目ごとの評価値を対応付けた献立情報を記憶する記憶手段と、
前記検索項目に対応した検索軸と、前記検索項目に関する評価値を指定するための前記検索軸上を移動可能な識別子の初期状態の表示を含む献立検索画面を表示させ、献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させる献立検索手段と、
前記識別子が移動済みの検索軸に関連する部分を、前記識別子の移動前とは異なる表示形態で表示させる表示形態変化手段と、
を具備する献立検索装置として機能させるためのプログラム。
【請求項８】
情報処理装置を、
献立と、献立を検索するための検索項目ごとの評価値を対応付けた献立情報を記憶する記憶手段と、
前記検索項目に対応した検索軸と、前記検索項目に関する評価値を指定するための前記検索軸上を移動可能な識別子の初期状態の表示を含む献立検索画面を表示させ、献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させる献立検索手段と、
前記識別子が移動済みの検索軸に関連する部分を、前記識別子の移動前とは異なる表示形態で表示させる表示形態変化手段と、
を具備する献立検索装置として機能させるためのプログラムを記録した記録媒体。
【手続補正２】
【補正対象書類名】明細書
【補正対象項目名】０００７
【補正方法】変更
【補正の内容】
【０００７】
前述した目的を達成するために、第１の発明は、献立と、献立を検索するための検索項目ごとの評価値を対応付けた献立情報を記憶する記憶手段と、前記検索項目に対応した検索軸と、前記検索項目に関する評価値を指定するための前記検索軸上を移動可能な識別子の初期状態の表示を含む献立検索画面を表示させ、献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させる献立検索手段と、前記識別子が移動済みの検索軸に関連する部分を、前記識別子の移動前とは異なる表示形態で表示させる表示形態変化手段と、を具備することを特徴とする献立検索装置である。
【手続補正３】
【補正対象書類名】明細書
【補正対象項目名】００１２
【補正方法】変更
【補正の内容】
【００１２】
第２の発明は、献立検索装置とユーザの端末とがネットワークを介して接続された献立検索システムであって、前記献立検索装置が、献立と、献立を検索するための検索項目ごとの評価値を対応付けた献立情報を記憶する記憶手段と、前記検索項目に対応した検索軸と、前記検索項目に関する評価値を指定するための前記検索軸上を移動可能な識別子の初期状態の表示を含む献立検索画面を表示させ、前記端末上の献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させる献立検索手段と、前記識別子が移動済みの検索軸に関連する部分を、前記識別子の移動前とは異なる表示形態で表示させる表示形態変化手段と、を具備することを特徴とする献立検索システムである。
【手続補正４】
【補正対象書類名】明細書
【補正対象項目名】００１３
【補正方法】変更
【補正の内容】
【００１３】
第３の発明は、献立検索装置が、献立と、献立を検索するための検索項目ごとの評価値を対応付けた献立情報を記憶する記憶手段を備え、前記検索項目に対応した検索軸と、前記検索項目に関する評価値を指定するための前記検索軸上を移動可能な識別子の初期状態の表示を含む献立検索画面を表示させ、献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させるステップと、前記識別子が移動済みの検索軸に関連する部分を、前記識別子の移動前とは異なる表示形態で表示させるステップと、を実行することを特徴とする献立検索装置方法である。
【手続補正５】
【補正対象書類名】明細書
【補正対象項目名】００１４
【補正方法】変更
【補正の内容】
【００１４】
第４の発明は、情報処理装置を、献立と、献立を検索するための検索項目ごとの評価値を対応付けた献立情報を記憶する記憶手段と、前記検索項目に対応した検索軸と、前記検索項目に関する評価値を指定するための前記検索軸上を移動可能な識別子の初期状態の表示を含む献立検索画面を表示させ、献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させる献立検索手段と、前記識別子が移動済みの検索軸に関連する部分を、前記識別子の移動前とは異なる表示形態で表示させる表示形態変化手段と、を具備する献立検索装置として機能させるためのプログラムである。
【手続補正６】
【補正対象書類名】明細書
【補正対象項目名】００１５
【補正方法】変更
【補正の内容】
【００１５】
第５の発明は、情報処理装置を、献立と、献立を検索するための検索項目ごとの評価値を対応付けた献立情報を記憶する記憶手段と、前記検索項目に対応した検索軸と、前記検索項目に関する評価値を指定するための前記検索軸上を移動可能な識別子の初期状態の表示を含む献立検索画面を表示させ、献立検索画面に表示される前記検索項目ごとの検索軸のうち、検索軸上の識別子が移動済みの検索軸の検索項目の、当該識別子の位置に対応する評価値を用いて、前記献立情報から献立を検索し、検索結果として前記献立検索画面に表示させる献立検索手段と、前記識別子が移動済みの検索軸に関連する部分を、前記識別子の移動前とは異なる表示形態で表示させる表示形態変化手段と、を具備する献立検索装置として機能させるためのプログラムを記録した記録媒体である。